(57)【特許請求の範囲】
【請求項１】
脚部に取付けられた両側フレームの座支持部に、座板の両側に設けた前後貫通した管状のケーシングを前後スライド可能に外挿するとともに、前記フレームの座支持部内に後方へ弾性付勢したスライドロッドを内装し且つ座支持部の前端より突出したスライドロッドの先端部を座板に係着し、着座者のリクライニング姿勢への移動に伴って弾性付勢力に抗して座板を前方へスライド移動可能且つ着座者の直立姿勢への移動に伴って弾性付勢力によって後方へスライド移動可能となした椅子の座板スライド装置であって、前記座板が前記ケーシングを形成したアウタ−シェルの上にインナーシェルを重合状態で嵌着した構造であり、前記スライドロッドの先端部に係合部を形成するとともに、該係合部に対応するアウターシェルに係止部を形成し、前記係合部にスライド方向に対して直交する上方から係着具を係合し且つ該係着具を前記係止部に係止した状態で、前記係着具をインナーシェルの下面に突設した押えリブで当止してなることを特徴とする椅子の座板スライド装置。
【請求項２】
前記スライドロッドの係合部が略直方体の先端部に貫通孔を形成したものであり、前記係止部が該貫通孔と略同形の挿入孔であり、前記係着具が中心部に前記貫通孔と挿入孔に同時に嵌挿可能な係止棒を有し、該係止棒の両側に間隔を置いて前記スライドロッドの先端部を抜止め外嵌する弾性片を有する山字形のものである請求項１記載の椅子の座板スライド装置。
【請求項３】
前記座板がアウタ−シェルの上に上面にクッション体を装着したインナーシェルを重合状態で嵌着した構造であり、前記係止部はアウターシェルの上面側で前記ケーシングの前方開放端の前方側に一体成形され、後立壁とその前方側に所定間隔を設けて前立壁を立設した上方開放の箱型であり、前記スライドロッドの係合部に係着具を上方から係合し且つその下方の係止部に係止してなる請求項１又は２記載の椅子の座板スライド装置。
【発明の詳細な説明】
【０００１】
【発明の属する技術分野】
本発明は、椅子の座板スライド装置に係わり、更に詳しくは着座者のリクライニング姿勢への移動に伴って弾性付勢力に抗して座板を前方へスライド移動可能且つ着座者の直立姿勢への移動に伴って弾性付勢力によって後方へスライド移動可能となした椅子の座板スライド装置に関する。
【０００２】
【従来の技術】
従来、脚部に取付けられた両側フレームの座支持部に、座板の両側に設けた前後貫通した管状のケーシングを前後スライド可能に外挿するとともに、前記フレームの座支持部内に後方へ弾性付勢したスライドロッドを内装し且つ座支持部の前端より突出したスライドロッドの先端部を座板に係着し、着座者のリクライニング姿勢への移動に伴って弾性付勢力に抗して座板を前方へスライド移動可能且つ着座者の直立姿勢への移動に伴って弾性付勢力によって後方へスライド移動可能となした椅子の座板スライド装置は、本出願人が商品名「バーテブラ」として提供している椅子に共通する機構であって公知である。
【０００３】
従来の座板スライド装置では、特公昭６１−２３６４号公報にて開示される如く、金属パイプで作製されたフレームの座支持部内に、スライドロッドと該スライドロッドを後方へ弾性付勢するための引張りコイルばね等のスライド復元機構が内装された状態で、該座支持部に前方から座板のケーシングを外挿（挿入方向はスライド方向と一致している）した後、スライドロッドの先端部をケーシングの前方へ出現させて、該先端部と座板の適所を固定していた。
【０００４】
しかし、従来のスライドロッドの先端部と座板との固定は、座板の裏面側から先端部に直接ノックピンを打ち込んでいたので、以下のような問題を有していた。即ち、下からの組付なので作業性が悪いこと、ピンが抜ける方向に重力が働くこと、ピンの固定力は嵌合力に頼るので寸法バラツキ等による抜けの不安があること、ピンの固定状態を目で確認できないこと、ピンの取付けに叩き込むための工具が必要であること、ピンの取外しにビスとプライヤーが必要であること等が挙げられる。
【０００５】
【発明が解決しようとする課題】
本発明が前述の状況に鑑み、解決しようとするところは、スライドロッドの先端部と座板との係着作業を上方からワンタッチで簡単に行えて組立工程を簡略化することが可能であるとともに、係着強度も高い椅子の座板スライド装置を提供する点にある。
【０００６】
【課題を解決するための手段】
本発明は、前述の課題解決のために、脚部に取付けられた両側フレームの座支持部に、座板の両側に設けた前後貫通した管状のケーシングを前後スライド可能に外挿するとともに、前記フレームの座支持部内に後方へ弾性付勢したスライドロッドを内装し且つ座支持部の前端より突出したスライドロッドの先端部を座板に係着し、着座者のリクライニング姿勢への移動に伴って弾性付勢力に抗して座板を前方へスライド移動可能且つ着座者の直立姿勢への移動に伴って弾性付勢力によって後方へスライド移動可能となした椅子の座板スライド装置であって、前記座板が前記ケーシングを形成したアウタ−シェルの上にインナーシェルを重合状態で嵌着した構造であり、前記スライドロッドの先端部に係合部を形成するとともに、該係合部に対応するアウターシェルに係止部を形成し、前記係合部にスライド方向に対して直交する上方から係着具を係合し且つ該係着具を前記係止部に係止した状態で、前記係着具をインナーシェルの下面に突設した押えリブで当止してなる椅子の座板スライド装置を構成した。
【０００７】
ここで、前記スライドロッドの係合部が略直方体の先端部に貫通孔を形成したものであり、前記係止部が該貫通孔と略同形の挿入孔であり、前記係着具が中心部に前記貫通孔と挿入孔に同時に嵌挿可能な係止棒を有し、該係止棒の両側に間隔を置いて前記スライドロッドの先端部を抜止め外嵌する弾性片を有する山字形のものであると最も好ましい。
【０００８】
そして、前記座板がアウタ−シェルの上に上面にクッション体を装着したインナーシェルを重合状態で嵌着した構造であり、前記係止部はアウターシェルの上面側で前記ケーシングの前方開放端の前方側に一体成形され、後立壁とその前方側に所定間隔を設けて前立壁を立設した上方開放の箱型であり、前記スライドロッドの係合部に係着具を上方から係合し且つその下方の係止部に係止してなることも好ましい。
【０００９】
【発明の実施の形態】
次に添付図面に示した本発明の実施形態に基づき更に詳細に説明する。図１は本発明に係る椅子の全体斜視図、図２は本発明に係る椅子の座板部分の構造を示し、図３は組立途中の状態を示し、図４は本発明の要部を示し、図中１は座板、２は取付体、３はフレーム、４はスライド復元機構をそれぞれ示している。
【００１０】
本発明に係る椅子は、図１に示すように、脚部Ａで支持した座部Ｂに、その後部両側から上方へ立ち上がった蛇腹で外被された背凭れ支持杆Ｃ１，Ｃ１を介して背凭れ部Ｃを取付けたものであり、座部Ｂは前後スライド移動可能、また背凭れ部Ｃは前後傾動可能な構造を有している。
【００１１】
更に詳しくは、本発明に係る椅子は、座板１を脚部Ａに連結した取付体２の両側に前後方向に向けて取付けたフレーム３に前後スライド可能となして支持したものであり、金属パイプからなる前記フレーム３に前記座板１を後方へ弾性付勢するためのスライド復元機構４が内装されている。ここで、前記座部Ｂは、座板１と取付体２を含む概念である。また、前記フレームの後方立上り部分、即ち蛇腹で外被された背凭れ支持杆Ｃ１，Ｃ１には、背凭れ部Ｃが前後傾動可能且つ上下スライド移動可能に設けられている。
【００１２】
本発明は、脚部に取付けられた両側フレーム３，３の座支持部５，５に、座板１の両側に設けた前後貫通した管状のケーシング６，６を前後スライド可能に外挿するとともに、前記フレーム３の座支持部５内に後方へ弾性付勢したスライドロッド７を内装し且つ座支持部５の前端より突出したスライドロッド７の先端部８を座板１に係着し、着座者のリクライニング姿勢への移動に伴って弾性付勢力に抗して座板１を前方へスライド移動可能且つ着座者の直立姿勢への移動に伴って弾性付勢力によって後方へスライド移動可能となした椅子の座板スライド装置であって、前記スライドロッド７の先端部８に係合部９を形成するとともに、該係合部９に対応する座板１に係止部１０を形成し、前記係合部９にスライド方向に対して直交する方向から係着具１１を係合し且つ該係着具１１を前記係止部１０に係止してなることを要旨としている。
【００１３】
本実施形態における座板１は、表面側にクッション体１２を装着したインナーシェル１３を、それを外覆するアウターシェル１４に重合状態で嵌着した構造である。ここで、前記インナーシェル１３とアウターシェル１４は共に合成樹脂で一体成形されたものであり、前記ケーシング６はアウターシェル１４の両側上面側に突出状態で形成されている。
【００１４】
更に具体的に本発明の要部を図４〜図６に基づいて説明する。前記スライドロッド７の係合部９が略直方体の先端部８に貫通孔１５を形成したものであり、前記係止部１０が該貫通孔１５と略同形の挿入孔１６であり、前記係着具１１が中心部に前記貫通孔１５と挿入孔１６に同時に嵌挿可能な係止棒１７を有し、該係止棒１７の両側に間隔を置いて前記スライドロッド７の先端部８を抜止め外嵌する弾性片１８，１８を有する山字形のものである。
【００１５】
ここで、前記係止部１０は、前記アウターシェル１４の上面側に一体成形されたものであり、前記ケーシング６の前方開放端の前方側に若干の間隔を置いた位置に、後立壁１９とその前方側に所定間隔を設けて前立壁２０を立設し、更に後立壁１９と前立壁２０の両側間を側立壁２１，２１で連続して上方開放の箱型とし、後立壁１９は前立壁２０よりも高くその中央上部に前記スライドロッド７の先端部８が通過する切欠開口２２を形成し、更に切欠開口２２に面する後立壁１９と前立壁２０の間に一対の仕切壁２３，２３を形成し、両仕切壁２３，２３の間を前記挿入孔１６となしている。また、前記仕切壁２３，２３の上端は後方から前方へ向けて傾斜した案内縁２３Ａとなし、前記フレーム３の座支持部５をケーシング６の後方から所定位置まで挿入した際に、座支持部５の先端から突出している前記スライドロッド７の先端部８が切欠開口２２を通過し、案内縁２３Ａを摺動し、貫通孔１５が挿入孔１６に一致する位置まで確実に案内するのである。最終的には、スライドロッド７の先端部８は、先端が前立壁２０の上位に位置する。このように、前記係止部１０としての挿入孔１６は、立壁によって強固に形成されている。
【００１６】
また、前記スライドロッド７の先端部８より基端側にはフランジ部２４が突設されており、該フランジ部２４が前記後立壁１９の切欠開口２２の周縁部に当止するようになっている。更に、前記先端部８の先端両側は、面取りしており、前記切欠開口２２への挿入操作がスムーズに行えるようになっている。
【００１７】
そして、前記係着具１１は、前述のように中央部の係止棒１７と、その両側の弾性片１８，１８が連結板２５から同一方向に延びており、全体として山字形となっている。また、前記弾性片１８の先端であって係止棒１７側に面する位置には、前記スライドロッド７の先端部８を外嵌した際に、抜止め作用をなす爪部２６を突設している。
【００１８】
次に、前記スライド復元機構４について説明する。前記スライド復元機構４は、前記フレーム３の座支持部５に内装する管状のサポーター２７の前半部に前記スライドロッド７を摺動可能に配設し、サポーター２７の後半部には一端をスライドロッド７の後端に係止し、他端をサポーター２７の後端に係止した引張りコイルばね２８を配設した構造である。前記サポーター２７は、前記座支持部５の前端部に内嵌しネジ止め固定したキャップ２９の内方に当接状態で配設し、キャップ２９にはスライドロッド７を挿通する通孔３０が形成されている。そして、スライドロッド７の前後中間部には管状のサポーター２７の前半部の内部を摺動する円形状のスライダー３１を嵌着するとともに、スライドロッド７の前部に外嵌したゴムワッシャ３２を前記キャップ２９の後面側に沿わせて配設している。また、キャップ２９の前方側に突出したスライドロッド７のフランジ部２４と、該キャップ２９との間にもスライドロッド７に外嵌したゴムワッシャ３３を介装している。
【００１９】
本実施形態のように、前記座板１がアウターシェル１４の上に上面にクッション体１２を装着したインナーシェル１３を重合状態で嵌着した構造であり、前記ケーシング６と係止部１０をアウターシェル１４に形成し且つスライドロッド７の先端部８より前記係止部１０が下方に位置するように設定すると、組立工程において先ずアウターシェル１４のケーシング６，６に、スライド復元機構４を組み込んだフレーム３，３の座支持部５，５を後方から挿入し、スライドロッド７の係合部９に係着具１１を上方から係合し且つその下方の係止部１０に係止した後、アウターシェル１４の上面側にインナーシェル１３を嵌着して取付けて座板１を組み立てることができる。特に、前記係着具１１を作業の容易なアウターシェル１４の上方から嵌着することができ、そのスライドロッド７の先端部８の係着状況を目で確認できるのである。また、アウターシェル１４にインナーシェル１３を嵌着した状態で、前記係着具１１をインナーシェル１３の下面に突設した押えリブ３４で当止すると、係着具１１の抜けを更に確実に防止できる。
【００２０】
次に、第２実施形態を図７〜図９に基づいて説明する。本実施形態においても、基本的な構造は前述の実施形態と同様であるので共通する部分の説明は省略する。前記スライドロッド７の先端部８の形状は、先端を残してフランジ部２４まで両側部を切り欠いた平面視Ｔ字形となし、このくびれ部３５が係合部９となる。また、係止部１０は、前記同様に後立壁１９と前立壁２０及び両側立壁２１，２１とで箱状に形成し、その中央に一枚の仕切壁２３を設け、該仕切壁２３の両側に形成した挿入孔３６，３６である。勿論、係止部１０には、後立壁１９を含んでいる。また、係着具１１は、連結板３７の下面両側に係合脚３８，３８を形成し、その間に前記係止部１０のくびれ部３５を嵌入し得るスリット３９を形成したものである。
【００２１】
この場合も、前記座支持部５をアウターシェル１４のケーシング６に挿入した際に、スライドロッド７の先端部８を前記切欠開口２２から仕切壁２３の上位に位置させた状態で、上方から係着具１１の両係合脚３８，３８を係合部９としてのくびれ部３５に外嵌して、該くびれ部３５をスリット３９内に挾持するとともに、両係合脚３８，３８を各挿入孔３６，３６に挿入して後立壁１９に係止するのである。この場合も、インナーシェル１３をアウターシェル１４に嵌着してインナーシェル１３に突設した押えリブ３４によって係着具１１の抜止めを図っている。
【００２２】
また、第３実施形態を図１０〜図１２に基づいて説明する。本実施形態においても、基本的な構造は前述の実施形態と同様であるので共通する部分の説明は省略する。前記スライドロッド７の先端部８の形状は、フランジ部２４から互いに所定の間隔を設けて一対の係合爪４０，４０を形成し、各係合爪４０には外向きに突出した係合段部４１を形成し、また両係合爪４０，４０の先端内方には互いに接近する方向に突縁４２，４２を形成している。また、係止部１０は、アウターシェル１４の上面に、前記同様に後立壁１９と前立壁２０及び両側立壁２１，２１とで箱状に形成し、その中央に一枚の仕切壁２３を設け、後立壁１９と前立壁２０は側立壁２１よりも低く且つ後立壁１９は前立壁２０よりも若干低く設定するとともに、仕切壁２３の上縁は後立壁１９の上端から前立壁２０の上端へ連続した案内縁２３Ａとなっており、両側立壁２１，２１の前部は互いに接近する方向に膨出部２１Ａ，２１Ａとなっている。そして、係着具１１は、前記係合部９を構成する両係合爪４０，４０の間に抜止め状態で嵌入すべく、基板４３の下面に該基板４３よりも断面形状が小さい本体部４４を有し、該本体部４４の下端両側に外向きに突出した爪部４５，４５を一体成形したものである。
【００２３】
組み立てる場合には、先ず前記係合爪４０，４０が上下に位置するようにスライドロッド７の向きを設定した状態で、前記座支持部５をアウターシェル１４のケーシング６に挿入すると同時に、下方の係合爪４０のみが仕切壁２３の案内縁２３Ａに摺接しながら上方へ弾性変形してその係合段部４１が前立壁２０の前方に位置して元の形状に復元し、係合段部４１が前立壁２０に係止する。この状態で、座支持部５はケーシング６内の所定位置に挿入されている。そして、前記スライドロッド７を９０度回転させて、両係合爪４０，４０の係合段部４１，４１を両側の側立壁２１，２１の膨出部２１Ａ，２１Ａの前面に係止する。それから上方から両係合爪４０，４０間であって突縁４２，４２の後方位置に、前記係着具１１の爪部４５，４５を変形させながら嵌入し、完全に本体部４４まで嵌合して該爪部４５，４５を係合爪４０，４０の下端に抜止め係止するのである。この状態では、両係合爪４０，４０はもはや内方へは変形できず、膨出部２１Ａ，２１Ａから抜けることがない。最後に、インナーシェル１３をアウターシェル１４に嵌着してインナーシェル１３に突設した押えリブ３４によって係着具１１の抜止めを図っている。
【００２４】
また、図示しないが、スライドロッド７の先端部８と座板１との係着における他の構造としては、第３実施形態において、係着具１１の変わりにインナーシェル１３の下面に突設した挿入棒を両係合爪４０，４０間に嵌入する構造も考慮される。更に、アウターシェル１４の上面の両側に支柱部を所定間隔を置いて立設し、スライドロッド７の先端部８に両支柱間に嵌入するくびれ部とその先端に突出部を形成し、座支持部５をケーシング６に挿入する際に、ケーシング６から前方へ出現したスライドロッド７の先端部８を上方へ湾曲変形させ、座支持部５をケーシング６の所定位置に挿入した際に、先端部８を元に戻して先端部８のくびれ部を両支柱間に嵌入すると同時に突出部を両支柱の前面に係止する構造も可能である。この場合、スライドロッド７は比較的変形が容易な合成樹脂で作製しているものとする。
【００２５】
【発明の効果】
以上にしてなる本発明の椅子の座板スライド装置によれば、係着具の組付けがアウターシェルの上方からであるので、作業性が良いこと、重力が係着具が外れる方向と反対に働くので抜け難いこと、係着具の固定力は係着具に設けた爪部によるので、抜けの不安がないこと、係着具の固定状態を目視できること、係着具の組付けに工具が不要であること、係着具の取外しはマイナスドライバー１本で可能であること、更に係着具をインナーシェルの下面に突設した押えリブで当止しているので、係着具の抜けを更に確実に防止できること、といった顕著な効果を奏するものである。
【図面の簡単な説明】
【図１】本発明に係る椅子の全体斜視図である。
【図２】本発明の椅子の座板スライド装置の全体を示す座板の部分縦断側面図である。
【図３】同じく組立途中の状態を示す部分縦断側面図である。
【図４】本発明の要部を示す分解斜視図である。
【図５】組付状態を示す部分縦断正面図である。
【図６】スライドロッドの係合部とアウターシェルの係止部との関係を示す省略部分横断面図である。
【図７】第２実施形態を示す要部の分解斜視図である。
【図８】同じく組付状態を示す省略縦断側面図である。
【図９】同じく組付状態を示す省略縦断正面図である。
【図１０】第３実施形態を示す要部の分解斜視図である。
【図１１】同じく組付状態を示す省略縦断正面図である。
【図１２】同じく組付状態を示す省略平面図である。
【符号の説明】
Ａ  脚部                  Ｂ  座部
Ｃ  背凭れ部              Ｃ１  背凭れ支持杆
１  座板                  ２  取付体
３  フレーム              ４  スライド復元機構
５  座支持部              ６  ケーシング
７  スライドロッド        ８  先端部
９  係合部                １０  係止部
１１  係着具              １２  クッション体
１３  インナーシェル      １４  アウターシェル
１５  貫通孔              １６  挿入孔
１７  係止棒              １８  弾性片
１９  後立壁              ２０  前立壁
２１  側立壁              ２２  切欠開口
２３  仕切壁              ２４  フランジ部
２５  連結板              ２６  爪部
２７  サポーター          ２８  引張りコイルばね
２９  キャップ            ３０  通孔
３１  スライダー          ３２  ゴムワッシャ
３３  ゴムワッシャ        ３４  押えリブ
３５  くびれ部            ３６  挿入孔
３７  連結板              ３８  係合脚
３９  スリット            ４０  係合爪
４１  係合段部            ４２  突縁
４３  基板                ４４  本体部
４５  爪部
【図１】
0003586986.tif 000002
【図２】
0003586986.tif 000003
【図３】
0003586986.tif 000004
【図４】
0003586986.tif 000005
【図５】
0003586986.tif 000006
【図６】
0003586986.tif 000007
【図７】
0003586986.tif 000008
【図８】
0003586986.tif 000009
【図９】
0003586986.tif 000010
【図１０】
0003586986.tif 000011
【図１１】
0003586986.tif 000012
【図１２】
0003586986.tif 000013